(57)【要約】      （修正有）【課題】本考案は、別途、測定器具、例えば、物差しや巻尺等を用意する必要がなく、建設工事現場、魚市場等の漁業現場及び農作業現場等において物品の寸法、及び、とりわけ、穴や窪み等の深さを、簡便かつ容易に測定することができる、目盛り付きの合羽、胴長、長靴及びゴム製前掛けを提供する。【解決手段】本考案は、表面に寸法を示す目盛りａが付されている、人が着用する物品であって、上記物品が合羽、胴長、長靴及びゴム製前掛けであり、かつ、上記目盛りａが、これらの物品の最下端部（合羽の裾ｂ）から上部に向かって略垂直方向に付されていることを特徴とする物品である。【選択図】図１
0003205757.tif 000002
【実用新案登録請求の範囲】
【請求項１】
表面に寸法を示す目盛りが付されている、人が着用する物品であって、上記物品が、合羽であり、かつ、上記目盛りが、該合羽の最下端部から上部に向かって略垂直方向に付されていることを特徴とする物品。
【請求項２】
表面に寸法を示す目盛りが付されている、人が着用する物品であって、上記物品が胴長であり、かつ、上記目盛りが、該胴長の最下端部から上部に向かって略垂直に付されていることを特徴とする物品。
【請求項３】
表面に寸法を示す目盛りが付されている、人が着用する物品であって、上記物品が長靴であり、かつ、上記目盛りが、該長靴の最下端部から上部に向かって略垂直に付されていることを特徴とする物品。
【請求項４】
表面に寸法を示す目盛りが付されている、人が着用する物品であって、上記物品がゴム製前掛けであり、かつ、上記目盛りが、該ゴム製前掛けの最下端部から上部に向かって略垂直に付されている、請求項１記載の物品。
【請求項５】
上記目盛りが、１ｃｍ単位で付されており、かつ、１０ｃｍ毎の目盛に数字が付されている、請求項１〜４のいずれか一つに記載の物品。
【考案の詳細な説明】
【技術分野】
【０００１】
本考案は、表面に寸法を示す目盛りが付されている、人が着用する物品に関し、更に詳しくは、表面に寸法を示す目盛りが付されている合羽、胴長、長靴及びゴム製前掛けに関する。
【背景技術】
【０００２】
従来、建設工事現場、魚市場等の漁業現場及び農作業現場等において物品の寸法及び穴や窪み等の深さを測定するためには、別途、測定器具、例えば、物差しや巻尺等を予め用意する必要があった。その際、このような測定器具を別途用意せずに、上記の各現場において種々の物品等の寸法及び穴や窪み等の深さを測定することができれば便利である。
【０００３】
この目的のために、例えば、ズボン類やスカート類に使用する、長さを表示するスケールを入れたベルトが知られている（特許文献１）。しかし、ベルトに目盛りを付したものでは、小さな物品には対応可能ではあるが、大きな物品及び穴や窪みなどの深さを測定する際には、いちいちベルトを外さなければならず面倒であり、これでは、物差しや巻尺等を持参することと大きな差異はなく、建設工事現場、漁業現場及び農作業現場等においては有効であるとは言えなかった。また、 釣り竿に物指し目盛りを印刷・切り込み・物差しシール貼付等により付けて、釣り竿と物指しを一体化させ魚体を計る物指し目盛りが付いている事を特徴とする釣竿が知られている（特許文献２）。しかし、かかる目盛り付き釣竿は、個人が釣った魚の寸法をその場で計測して、趣味的に用いるためには有用ではあるが、釣りの場面においてのみ使用し得るに過ぎず、建設工事現場、魚市場等の漁業現場及び農作業現場等において使用し得るものではなかった。また、衣服にメジャーを設けたことを特徴とするメジャー付き衣服が知られている（特許文献３）。しかし、特許文献３には、合羽、胴長、長靴及びゴム製前掛けにメジャーを設けることに関する記載はない。また、特許文献３に記載された図面によれば、メジャーが付けられている位置は、衣服の例えば、袖、身頃等の任意の箇所、ズボンの股から裾までの間の任意の箇所である。このような箇所につけられたメジャーを使用して、物品の寸法を測定するのは不便であり、とりわけ、穴及び窪み等の深さを測定するためには不便であった。従って、建設工事現場、漁業現場及び農作業現場等においては殆ど有効であるとは言えなかった。
【先行技術文献】
【特許文献】
【０００４】
【特許文献１】特開２００１−１５９０１５号公報
【特許文献２】特開２００１−３３３６６４号公報
【特許文献３】特開２００１−１３１８０８号公報
【考案の概要】
【考案が解決しようとする課題】
【０００５】
本考案は、別途、測定器具、例えば、物差しや巻尺等を用意する必要がなく、建設工事現場、魚市場等の漁業現場及び農作業現場等において物品の寸法、及び、とりわけ、穴や窪み等の深さを、簡便かつ容易に測定することができる、目盛り付きの合羽、胴長、長靴及びゴム製前掛けを提供するものである。
【課題を解決するための手段】
【０００６】
従来、建設工事現場、魚市場等の漁業現場及び農作業現場等では、物品の寸法、及び、穴や窪み等の深さを測定するためには、別途、巻尺、物差し等の測定器具を用意していた。しかし、これでは不便な場合も多々あった。例えば、建設工事現場における生コンクリートの打設等において、その寸法を測定して、コンクリートが所定の寸法で正確に打設されているかを最終的にチェックする必要がある。この際、人の着衣等にその最下端部から寸法が付されていると、そのおおよその寸法を何人でも一見して把握することができ、最終的にチェックされた寸法に誤りがないか否かを明確に確認することができる。このようなチェックの際には、その写真を証拠として残すことが多く、寸法に誤りがあれば明らかに見て取れる。また、建設工事現場や農作業現場等では、掘った穴や窪み等の深さを測定する必要があることが多い。この際、その深さのおおよその値が一見して把握できれば非常に便利である。とりわけ、水害時や河川内作業等における現場では、その深さに関係なく、浅いところから深いところまで広範囲に亘って、その深さを一見して測定できる着用物品が求められている。
【０００７】
本考案者は、上記課題を解決すべく鋭意検討を重ねた。その結果、合羽、胴長、長靴及びゴム製前掛けに目盛りを付すことに思い至った。作業ズボンに目盛りを付すことも考えられるが、建設工事現場、漁業現場及び農作業現場等では多くは水を取扱い、また、水と接触することが多く不便である。また、深さを測定するに際しては、とりわけ、浅いところから深いところまで広範囲に亘って測定可能な胴長が有利であることに思い至った。
【０００８】
即ち、本考案は、
（１）表面に寸法を示す目盛りが付されている、人が着用する物品であって、上記物品が合羽であり、かつ、上記目盛りが、該合羽の最下端部から上部に向かって略垂直方向に付されていることを特徴とする物品である。
【０００９】
また、本考案は、
（２）表面に寸法を示す目盛りが付されている、人が着用する物品であって、上記物品が胴長であり、かつ、上記目盛りが、該胴長の最下端部から上部に向かって略垂直方向に付されていることを特徴とする物品である。
【００１０】
更に、本考案は、
（３）表面に寸法を示す目盛りが付されている、人が着用する物品であって、上記物品が長靴であり、かつ、上記目盛りが、該長靴の最下端部から上部に向かって略垂直方向に付されていることを特徴とする物品である。
【００１１】
加えて、本考案は、
（４）表面に寸法を示す目盛りが付されている、人が着用する物品であって、上記物品がゴム製前掛けであり、かつ、上記目盛りが、該ゴム製前掛けの最下端部から上部に向かって略垂直方向に付されていることを特徴とする物品である。
【００１２】
好ましい態様として、
（５）上記目盛りが、１ｃｍ単位で付されており、かつ、１０ｃｍ毎の目盛に数字が付されている、上記（１）〜（４）のいずれか一つに記載の物品、
（６）上記目盛りが、１ｃｍ単位で付されており、かつ、１０ｃｍ毎の目盛に数字が付されており、かつ、１０ｃｍ毎の目盛及び数字が、他の目盛りとは別の色で着色されている、上記（１）〜（４）のいずれか一つに記載の物品、
（７）上記１ｃｍ単位で付されている目盛りが、黒色に着色されており、かつ、１０ｃｍ毎の目盛及び数字が、赤色に着色されている、上記（５）又は（６）記載の物品、
（８）建設工事用、漁業用及び農作業用の、上記（１）〜（７）のいずれか一つに記載の物品
を挙げることができる。
【考案の効果】
【００１３】
本考案の目盛り付きの合羽、胴長、長靴及びゴム製前掛けによれば、別途、測定器具、例えば、物差しや巻尺等を用意する必要がなく、建設工事現場、魚市場等の漁業現場及び農作業現場等において物品の寸法、及び、とりわけ、穴や窪み等の深さを、簡便かつ容易に測定することができる。とりわけ、本考案の胴長によれば、浅いところから深いところまで広範囲の深さを容易かつ簡便に測定することができる。
【図面の簡単な説明】
【００１４】
【図１】図１は、本考案の目盛り付き合羽の一実施態様を示した図である。
【図２】図２は、本考案の目盛り付き胴長の一実施態様を示した図である。
【図３】図３は、本考案の目盛り付き長靴の一実施態様を示した図である。
【考案を実施するための形態】
【００１５】
本考案は、表面に寸法を示す目盛りが付されている、人が着用する物品である。本考案において、該物品は、合羽、胴長、長靴及びゴム製前掛けから選ばれる。ここで、これらの合羽、胴長、長靴及びゴム製前掛けにおいて、上記目盛りが、合羽、胴長、長靴及びゴム製前掛けの最下端部から上部に向かって略垂直方向に付されている。例えば、合羽及びゴム製前掛けにあっては、その裾部から、上部に向かって略垂直方向に付されており、胴長及び長靴にあっては、靴の底面部、好ましくは、靴のかかと（ヒール）底面部から上部に向かって略垂直方向に付されている。ここで、胴長とは、胸当て、ズボン及び靴がひと続きになった、例えば、ゴム、ビニール、その他の合成樹脂等より成る衣服を言う。また、ゴム製前掛けとは、ゴム、ビニール、これと同等の機能を有する合成樹脂から成る前掛けを言い、とりわけ、魚市場、鮮魚店等で使用されるものである。これにより、建設工事現場、例えば、魚市場等の漁業現場及び農作業現場等において、測定対象物の寸法を測定する際に、その寸法を容易かつ比較的正確に測定することができる。また、とりわけ、胴長においては、浅いところから深いところまで広範囲に亘る深さを容易かつ簡便に測定し得ることから、穴や窪みの深さを測定する際に便利であるばかりではなく、水害などで生じた水の深さを測定する際や、河川や海岸近くの水中での作業等の際に大いに便利である。また、上記の目盛りは、好ましくは１ｃｍ単位で付されており、１０ｃｍ毎の目盛りに数字が付されていることが好ましい。また、該目盛りは、好ましくは黒色に着色されており、１０ｃｍ毎の目盛り及び数字は、１ｃｍ単位の目盛りとは異なる色、例えば、赤色で着色されていることが好ましい。目盛りの線の太さに特に制限はない。見易さの観点から、目盛りの線の太さは略５ｍｍが好ましく、１ｃｍ間隔の目盛りと目盛りとの間は、略５ｍｍとなることが好ましい。本考案の目盛り付き合羽、胴長、長靴及びゴム製前掛けの材質は、防水性、耐水性であれば特に制限はない。例えば、ゴム、ビニール、その他これらと同等の機能を有する合成樹脂製のものが挙げられる。
【００１６】
図１は、本考案の目盛り付き合羽の一実施態様を示した図である。表面に寸法を示す目盛り（ａ）が付されており、該目盛り（ａ）は、裾部（ｂ）から、上部に向かって略垂直方向に付されている。該目盛り付き合羽を着用すれば、目盛り付き長靴を着用する必要がなく、かつ、長靴に比べてより大きな寸法の物品に関しても対応可能である。例えば、水産加工現場、魚市場等の漁業現場等において特に有用である。
【００１７】
図２は、本考案の目盛り付き胴長の一実施態様を示した図である。表面に寸法を示す目盛り（ａ）が付されており、該目盛り（ａ）は、靴の底面部（かかと底面部）（ｃ）から、上部に向かって略垂直方向に付されている。該目盛り付き胴長を着用すれば、浅いところから深いところまで広範囲に亘る深さを容易かつ簡便に測定し得る。例えば、水害などで生じた水の深さを測定する際や、河川や海岸近くの水中での作業等の際に大いに便利である。
【００１８】
図３は、本考案の目盛り付き長靴の一実施態様を示した図である。表面に寸法を示す目盛り（ａ）が付されており、該目盛り（ａ）は、長靴の底面部（かかと底面部）（ｃ）から、上部に向かって略垂直方向に付されている。該目盛り付き胴長を着用すれば、比較的浅い穴や窪み等の深さを容易に測定することができる。
【産業上の利用可能性】
【００１９】
本考案の目盛り付きの合羽、胴長、長靴及びゴム製前掛けによれば、別途、測定器具、例えば、物差しや巻尺等を用意する必要がない。従って、建設工事現場、魚市場等の漁業現場及び農作業現場等において、今後、大いに使用されることが期待される。とりわけ、本考案の目盛り付きの胴長によれば、浅いところから深いところまで広範囲の深さを容易かつ簡便に測定することができることから、水害時や河川内等での作業に大いに利用されることが期待される。
【符号の説明】
【００２０】
ａ    目盛り
ｂ    合羽の裾
ｃ    胴長及び長靴の底面部
【図１】
0003205757.tif 000003
【図２】
0003205757.tif 000004
【図３】
0003205757.tif 000005